(57)【要約】  【課題】  再生覆蓋を製造する場合に、作業の手間をできるだけ少なくすることのできる方法を提供する。  【解決手段】  本発明の再生覆蓋の製造方法は、面板１１と面板１１の裏面に設けられる梁１２、１３とを有し、面板１１の縁には張り出し部１５が形成されており、穴又は溝の受枠の上に張り出し部１５を載置させて、前記穴又は溝を覆うことができる覆蓋１０と、新たな面板３０を用いる。そして、覆蓋１０の面板１１の張り出し部１５を削除して面板１１の大きさを前記穴又は溝より小さくする工程と、梁１２の裏側に新たな面板３０を張り出し部１５を形成するように取り付ける工程を有する。また、補強梁３６を設けてもよい。【選択図】  図５
2005305270.tif 000002
【特許請求の範囲】
【請求項１】
面板と前記面板の裏面に設けられる梁とを有し、前記面板の縁には張り出し部が形成さ
れており、開口部又は溝の受枠の上に張り出し部を載置させて、前記開口部又は溝を覆う
ことができる覆蓋に、さらに、新たな面板を取り付けて製造される再生覆蓋の製造方法で
あって、
覆蓋の面板の張り出し部を削除して当該面板の大きさを前記開口部又は溝より小さくす
る工程と、梁の裏側に新たな面板を張り出し部を形成するように取り付ける工程を有する
ことを特徴とする再生覆蓋の製造方法。
【請求項２】
覆蓋には、対向するように配置された２本の主梁を有し、新たな面板は前記主梁に取り
付けられるものであることを特徴とする請求項１に記載の再生覆蓋の製造方法。
【請求項３】
覆蓋には、２本の主梁の間に配置されて主梁に直交するように設けられた小梁を有する
ものであることを特徴とする請求項２に記載の再生覆蓋の製造方法。
【請求項４】
さらに、新たな面板に補強梁を取り付ける工程を有することを特徴とする請求項１〜３
のいずれかに記載の再生覆蓋の製造方法。
【発明の詳細な説明】
【技術分野】
【０００１】
本発明は、例えば、下水処理施設などに設置されている汚水槽や貯水槽或いは水路など
を覆うのに用いる覆蓋の製造方法に関するものである。
【背景技術】
【０００２】
従来より、梁構造の覆蓋が用いられている。例えば、このような従来技術の覆蓋１０は
、図１に示されるように、長方形状の面板１１と、面板１１の裏側に設けられる主梁１２
、補強主梁１４及び小梁１３を有している。主梁１２、補強主梁１４及び小梁１３は長尺
板状である。
そして、主梁１２は面板１１の対向する辺付近に平行となるように２本配置され、面板
１１の他の対向する辺付近であって、主梁１２の長さ方向の外側に補強主梁１４が設けら
れている。また、小梁１３は主梁１２同士の間に、主梁１２に対して垂直であって補強主
梁１４に平行となるように配置されている。主梁１２、補強主梁１４及び小梁１３は、面
板１１上に負荷がかかった場合、面板１１のたわみを低減している。
【０００３】
また、補強主梁１４は、補強主梁１４と面板１１の端部との間には所定の間隔を設ける
ようにして固定されており、補強主梁１４の外側に張り出し部１６が形成されている。そ
して、図９のように、張り出し部１６により開口部２０の上に覆蓋１０が載置され、開口
部２０を覆うことができる。そして、このようにして覆蓋１０が用いられる場所の開口部
２０の幅は、主梁１２同士の距離と比べてやや長く、面板１１の幅よりもやや短いので、
開口部２０の受け枠に覆蓋１０を載せると、覆蓋１０は張り出し部１６によって支えられ
る。
なお、覆蓋１０に対して横方向に力を受けた場合には、主梁１２などが当たってずれを
防ぐことができる。
【０００４】
そして、主梁１２及び小梁１３よって、面板１１上に加わる荷重によるたわみを低減さ
せることができるので、覆蓋１０上に荷重がかかった場合など、破損を防止している。
【０００５】
このような、覆蓋１０は特許文献１などに記載されている。
【特許文献１】特開２０００−２９７４６３号公報
【発明の開示】
【発明が解決しようとする課題】
【０００６】
上記したような覆蓋１０は、使用中に面板１１の表面の摩耗などの劣化すると、新品に
交換したり、劣化の部分の補修を行って再利用している。
【０００７】
面板１１の表面が劣化した覆蓋１０を再利用する場合には、表面を平面状となるように
研磨して、新たな面板１１を重ねて接着したりしていた。
しかしながら、面板１１の表面を平面状となるように研磨する作業や、面板１１の表面
に付着している砂などの付着物を除去する作業は、手間がかかる作業であった。
また、元の面板１１の研磨量は小さいので、新たに面板１１を重ねて接着すると、面板
１１全体の厚みが大きくなってしまう。そして、覆蓋１０を設置した状態での面板１１の
部分の突出高さが大きくなってしまい、場合によっては、使用することができない場合が
あった。
【０００８】
そして、使用中の覆蓋１０を廃棄して新たな覆蓋１０を使用するのは、新たな材料を必
要とするので資源の有効利用ができないだけでなく、廃棄物を増やすことにもなる。
【０００９】
また、覆蓋１０の外観の変更、強度上昇、張り出し部１５などの形状変更による密閉性
の改善などを行う際にも、使用中の覆蓋１０を用いて加工して、所定の構造としている。
かかる場合にも同様の作業を行う必要があり、同様の問題があった。
【００１０】
そこで、覆蓋と新たな面板を用いて再生覆蓋を製造することができ、作業の手間をでき
るだけ少なくすることのできる覆蓋の製造方法を提供することを課題とする。
【課題を解決するための手段】
【００１１】
上記した目的を達成するための請求項１に記載の発明は、面板と前記面板の裏面に設け
られる梁とを有し、前記面板の縁には張り出し部が形成されており、穴又は溝の受枠の上
に張り出し部を載置させて、前記穴又は溝を覆うことができる覆蓋に、さらに、新たな面
板を取り付けて製造される再生覆蓋の製造方法であって、覆蓋の面板の張り出し部を削除
して当該面板の大きさを前記穴又は溝より小さくする工程と、梁の裏側に新たな面板を張
り出し部を形成するように取り付ける工程を有することを特徴とする再生覆蓋の製造方法
である。
【００１２】
請求項１に記載の発明によれば、覆蓋の面板の張り出し部を削除し、新たな面板を梁の
裏側に張り出し部を形成するように取り付けて、再生覆蓋を製造する。したがって、元の
面板に重ねて固定することがないので、研磨等によって平面状にする必要が無く、覆蓋を
用いて再生覆蓋を製造することができる。また、元の面板は梁と固定されているので、元
の面板によって梁を補強することができる。
【００１３】
請求項２に記載の発明は、覆蓋には、対向するように配置された２本の主梁を有し、新
たな面板は前記主梁に取り付けられるものであることを特徴とする請求項１に記載の再生
覆蓋の製造方法である。
【００１４】
請求項２に記載の発明によれば、対向するように配置された２本の主梁に新たな面板を
取り付けるので、覆蓋の主梁を再生覆蓋の主梁として使用することができる。
【００１５】
覆蓋には２本の主梁の間に配置されて主梁に直交するように設けられた小梁を有するも
のであってもよい（請求項３）。
【００１６】
請求項４に記載の発明は、さらに、新たな面板に補強梁を取り付ける工程を有すること
を特徴とする請求項１〜３のいずれかに記載の再生覆蓋の製造方法である。
【００１７】
請求項４に記載の発明によれば、新たな面板に補強梁を取り付けられるので、さらに強
度が高い。
【発明の効果】
【００１８】
本発明によれば、使用後の覆蓋を用いて、手間がかからない作業で覆蓋を製造すること
ができる。
【発明を実施するための最良の形態】
【００１９】
以下さらに本発明の具体的実施例について説明する。図１は、本発明の実施形態に用い
られる覆蓋の斜視図である。図２、図３は、本発明の実施形態に用いられる覆蓋の面板の
張り出し部を切断した状態の斜視図である。図４〜図７は、本発明の実施形態で製造され
た再生覆蓋の斜視図である。図８は、本発明の実施形態で製造された再生覆蓋の使用状態
の模式図である。
【００２０】
本発明の再生覆蓋の製造方法では、上記した覆蓋１０と新たな面板３０を用いて行われ
る。
本実施形態で用いられる覆蓋１０の構造は、図１に示されるように、長方形状の面板１
１と、面板１１の裏側に設けられる主梁１２、補強主梁１４及び小梁１３を有している。
小梁１３は、主梁１２と面板１１の端部との間には所定の間隔を設けるようにして固定さ
れている。また、補強主梁１４の外側の面板１１の端部には張り出し部１６が、主梁１２
の外側の面板１１の端部には張り出し部１５が設けられている。
なお、覆蓋１０の詳細な上記で説明した通りであり、説明を省略する。
【００２１】
そして、覆蓋１０を構成する板材である面板１１や主梁１２、小梁１３、さらに、後述
する新たな面板３０は、ガラス繊維強化プラスチック発泡体が用いられている。面板１１
、３０と主梁１２の繊維方向は平行であり、小梁１３については面板１１、３０や主梁１
２に対して垂直方向である。
発泡体における発泡樹脂の種類としては、例えば、ウレタン、エポキシ樹脂、ビニルエ
ステル樹脂、不飽和ポリエステル樹脂、フェノール樹脂等の熱硬化樹脂であって硬質のも
のが好適に使用される。なお、発泡樹脂中に、圧縮強度の向上や低コスト化を図るために
、炭酸カルシウム、石膏、タルク、水酸化アルミニウム、クレー等の無機充填材や、シラ
スバルーン、パーライト、ガラスバルーン等の軽量骨材が添加されてもよい。
【００２２】
繊維の種類は金属繊維等の無機質繊維、天然繊維、合成繊維等の有機質繊維のいずれで
あってもよいが、強度や経済性の面からガラス繊維が適している。ガラス繊維としては、
ガラスロービング、ガラスロービングクロス、ガラスマット、コンティニュアスストラン
ドマット等の形態のものが挙げられる。この繊維は、単独で使用してもよいし、二層以上
積層して使用してもよく、また、長繊維と短繊維を混ぜて使用してもよい。なお、ガラス
長繊維を長手方向に引きそろえて補強繊維とした、ガラス長繊維強化硬質ウレンタ発泡体
（例えば、積水化学工業株式会社製 商品名「エスロンネオランバーＦＦＵ」など）を採
用するのが、軽量化、耐久性および加工性の確保のために最も好ましい。
【００２３】
そして、使用された覆蓋１０の面板１１の張り出し部１５、１６を図２に示すように取
り除き、面板１１の大きさを図９に示されるような覆蓋１０を用いる開口部２０の大きさ
よりも小さくする。この工程の作業は、張り出し部１５を主梁１２の端部に沿って切断し
て行われるが、削るなどの他の方法を用いることもできる。そうすると、面板１１は主梁
１２と補強主梁１４よりも外側の部分が無くなった状態となる。なお、補強主梁１４の端
部１４ａは突出した状態となっている。
また、本実施形態では張り出し部１５、１６の４辺を削除するものであるが、開口部２
０の大きさよりも小さくすることができれば、張り出し部１６のみを切断してもよい。
【００２４】
図３は、張り出し部１５、１６を切断した状態で裏側から見た図である。そして、これ
に新たな面板３０を取り付ける。具体的には、２本の主梁１２及び補強主梁１４の裏側（
面板１１とは反対側）に新たな面板３０を固定する。
なお、この固定は、接着剤による接着や、釘、ねじなどの締結部材などによる固定など
を用いることができるが、どのような固定方法でもよい。
【００２５】
新たな面板３０は、張り出し部１５、１６を取り除く前の状態の元の面板１１とほぼ同
じ大きさ・形状のものが用いられる。そして、新たな面板３０の固定位置は、元の面板１
１と同様な位置に設置する。したがって、新たな面板３０の両端部が主梁１２及び補強主
梁１４からはみ出して、新たな面板３０に張り出し部１５、１６が形成される。
このようにして再生覆蓋２５が完成する。
【００２６】
本実施形態の製造方法では、面板１１の表面を平面状にするための研磨を行う必要がな
く製造が容易である。
【００２７】
そして、この再生覆蓋２５を使用する際には、図８に示されるように、元の覆蓋１０の
使用状態とは表裏を逆に、面板１１を下側にして使用される。
また、再生覆蓋２５は、開口部２０の上に覆うように載せ、覆蓋１０と同様に使用する
ことができる。また、主梁１２や補強主梁１４の位置が変わらないので、同じ開口部２０
に使用することができる。このように、再生覆蓋２５を使用する場合には、新たな面板３
０が上側になるが、再生前の元の覆蓋１０の面板１１と同じ形状であるので、使用時の高
さが変わることがない。
なお、開口部２０以外にも、溝のように所定の方向に延びるものであっても覆うことが
できる。
【００２８】
また、図５〜図７に示されるような、新たな面板３０を補強する補強梁３６、３７を用
いた再生覆蓋２６、２７、２８も製造することができる。
再生覆蓋２６、２７は、図５、図６に示されており、上記の再生覆蓋２５に加えて、補
強梁３６を主梁１２と平行となるように、小梁１３と新たな面板３０との間に設けたもの
である。そして、補強梁３６は新たな面板３０に固定されており、新たな面板３０のたわ
みを防止する。この補強梁３６を小梁１３に固定することも可能であり、かかる場合には
、さらにたわみを防止することができる。
【００２９】
再生覆蓋２６では、補強梁３６は中央付近に１本設けられ、再生覆蓋２７では、補強梁
３６は等間隔に２本設けられている。なお、新たな面板３０のたわみを防止することがで
きれば、補強梁３６の位置、間隔は限定されることはない。
【００３０】
また、再生覆蓋２８は、図７に示されるように、補強梁３７が設けられている。補強梁
３７は小梁１３とほぼ同じ長さであり、小梁１３と新たな面板３０との間で小梁１３に対
して平行に配置され、小梁１３及び新たな面板３０の双方に取り付けられている。
【００３１】
そして、再生覆蓋２５、２６、２７、２８のいずれについても、元の面板１１が裏側に
配置し、主梁１２や小梁１３などの連結が強固となるので、新たな面板３０に荷重が加わ
った時の変形が低減する。言い換えると、元の面板１１が主梁１２、補強主梁１４及び小
梁１３の補強をする。
【００３２】
さらに、再生覆蓋２５、２６、２７、２８のいずれについても、覆蓋１０の主梁１２、
補強主梁１４をそのまま主梁１２や補強主梁１４として用いるものである。そして、主梁
１２や補強主梁１４は元の面板１１などと異なり、摩耗等の劣化がおこりにくく、そのま
ま用いても十分機能を果たすことができる。
【００３３】
また、必要に応じて新たな面板３０の裏側に桁を設けることもできる。
【００３４】
覆蓋１０、新たな面板３０を構成する素材は、ガラス繊維強化プラスチック発泡体以外
材質を用いることができる。
【図面の簡単な説明】
【００３５】
【図１】本発明の実施形態に用いられる覆蓋の斜視図である。
【図２】本発明の実施形態に用いられる覆蓋の面板のフランジを切断した状態の斜視図である。
【図３】本発明の実施形態に用いられる覆蓋の面板のフランジを切断した状態で裏返した状態の斜視図である。
【図４】本発明の実施形態で製造された再生覆蓋の斜視図である。
【図５】本発明の実施形態で製造された再生覆蓋の斜視図である。
【図６】本発明の実施形態で製造された再生覆蓋の斜視図である。
【図７】本発明の実施形態で製造された再生覆蓋の斜視図である。
【図８】本発明の実施形態で製造された再生覆蓋の使用状態の模式図である。
【図９】覆蓋の使用状態の斜視図である。
【符号の説明】
【００３６】
１０  覆蓋
１１、３０  面板
１２  主梁
１３  小梁
１５  張り出し部
２０  開口部
２５、２６、２７、２８  再生覆蓋
３５、３６  補強梁
【図１】
2005305270.tif 000003
【図２】
2005305270.tif 000004
【図３】
2005305270.tif 000005
【図４】
2005305270.tif 000006
【図５】
2005305270.tif 000007
【図６】
2005305270.tif 000008
【図７】
2005305270.tif 000009
【図８】
2005305270.tif 000010
【図９】
2005305270.tif 000011